(57)【要約】【課題】キュービックジルコニアのカットに、今までカッティングに利用していなかったパビリオン側も利用し、パビリオン側のカット模様がクラウン側から視認できるようなカットを行うこと。【解決手段】パビリオンの最底部に５個の四角形の面の一頂部が集まり相隣接する四角形の面は下側の一辺をそれぞれ共通とするとともに四角形の面がガードル部を基準面とした場合この基準面に対しなす角度は３５．５度〜３６．５度であり、この四角形の面の上側の一辺とその辺を共通とし一つおきに隣接する三角形の面とも一辺を共通とする１０個の三角形の面が基準面に対しなす角度は４０．５度〜４１．５度であり、またガードルとクラウンの平面部に対向する頂部が接し一つおきに隣接する四角形の面とも一辺を共通とする１０個の四角形の面が基準面に対しなす角度は２９．５度〜３０．５度であり、デプスはガードル部の直径の５５％〜６５％とした。【選択図】        図３
2004194779.tif 000002
【特許請求の範囲】
【請求項１】
キュービックジルコニアのカットが次の▲１▼〜▲３▼の要件を満たしていることを特徴とするキュービックジルコニア。
▲１▼パビリオンの最底部には５個の同形状の四角形の面の一頂部が集まり、相隣接する四角形の面は下側の一辺をそれぞれ共通とし、この各四角形の面が、ガードル部を基準面とした場合、この基準面に対しなす角度は３５．５度〜３６．５度であること。
▲２▼前記各四角形の面の上側の一辺とその辺を共通とし、一つおきに隣接する三角形の面とも一辺を共通とする１０個の各三角形の面が、ガードル部を基準面とした場合、この基準面に対しなす角度は４０．５度〜４１．５度であること。
▲３▼ガードルとクラウンの平面部に対向する頂部がそれぞれ接し、一つおきに隣接する四角形の面とも一辺を共通とする１０個の各四角形の面が、ガードル部を基準面とした場合、この基準面に対しなす角度は２９．５度〜３０．５度であり、デプスはガードル部の直径の５５％〜６５％であること。
【請求項２】
パビリオンの最底部の四角形の面で形成された星形の五角形の平面視における外径と、クラウンの平面部の直径はほぼ等しく、クラウンの平面部は十角形であり、ガードルとクラウンの平面部に対向した頂部がそれぞれ接している四角形の面の平面部側の頂部は十角形各辺の中央部において接している請求項１記載のキュービックジルコニア。
【請求項３】
加工前のキュービックジルコニアをカットしてキュービックジルコニアを仕上げるに際し、次の▲１▼〜▲８▼の工程を経ることを特徴とするキュービックジルコニアのカッティング方法。
▲１▼ガードル部を真円に形成すること。
▲２▼パビリオン側を１０等分し、相隣接する扇形の面がそれぞれ両辺が共通し、その扇形の面が、ガードル部を基準面とした場合、この基準面に対しなす角度が４０．５度〜４９．０度となり、ガードル部が各扇形の面の円弧部分となるようにカットすること。
▲３▼一つおきに稜線のほぼ中央と、他の稜線がガードル部と接する点を結ぶ線が三角形の面の一辺となり、他の二辺は相隣接する三角形の面とそれぞれの辺が共通し、それぞれの三角形の面が、ガードル部を基準面とした場合、この基準面に対しなす角度が４０．５度〜４１．５度となるようにカットし、１０個の三角形の面を形成すること。
▲４▼短辺側が共通する隣接する三角形の面の、その辺を共通する部分を四角形の面にカットし、最底部において５個の四角形の面の頂部が一点に集まるようにし、各四角形の面が、ガードル部を基準面とした場合、この基準面に対しなす角度が３５．５度〜３６．５度となるように５個の四角形の面を形成すること。
▲５▼クラウン側もパビリオン側と同じ位置で１０等分し、相隣接する扇形の面がそれぞれ両辺が共通し、その扇形の面が、ガードル部を基準面とした場合、この基準面に対しなす角度が３１．０度〜３７．０度となり、ガードル部が各扇形の面の円弧部分となるようにカットすること。
▲６▼一つおきに稜線のガードル部からほぼ１／４の位置と、他の稜線がガードル部と接する点を結ぶ線が三角形の面の一辺となり、他の二辺は相隣接する三角形の面とそれぞれの辺が共通し、それぞれの三角形の面が、ガードル部を基準面とした場合、この基準面に対しなす角度が２９．５度〜３０．５度となるようにカットし、１０個の三角形の面を形成すること。
▲７▼クラウン側の平面部となる部分を、デプスがガードル部の直径の５５％〜６５％の位置で、パビリオンの最底部の四角形の面で形成された星形の五角形の平面視における外径と、クラウンの平面部の直径がほぼ等しくなるようにカットすること。
▲８▼前記平面部が十角形となるように隣接する三角形の面の辺の共通箇所に三角形の面を形成し、平面部は十角形となり、１０個の三角形の面はそれぞれ四角形の面となるようにカットすること。
【請求項４】
キュービックジルコニアのカットが次の▲１▼〜▲３▼の要件を満たしていることを特徴とするキュービックジルコニア。
▲１▼パビリオンの最底部には任意数の同形状の四角形の面の一頂部が集まり、相隣接する四角形の面は下側の一辺をそれぞれ共通とし、この各四角形の面が、ガードル部を基準面とした場合、この基準面に対しなす角度は３５．５度〜３６．５度であること。
▲２▼前記各四角形の面の上側の一辺とその辺を共通とし、一つおきに隣接する三角形の面とも一辺を共通とするとともに前記四角形の面の数の２倍の数の各三角形の面が、ガードル部を基準面とした場合、この基準面に対しなす角度は４０．５度〜４１．５度であること。
▲３▼ガードルとクラウンの平面部に対向する頂部がそれぞれ接し、一つおきに隣接する四角形の面とも一辺を共通とする前記パビリオン側最底部の四角形の面の数の２倍の数の各四角形の面が、ガードル部を基準面とした場合、この基準面に対しなす角度は２９．５度〜３０．５度であり、デプスはガードル部の直径の５５％〜６５％であること。
【請求項５】
パビリオンの最底部の四角形の面で形成された星形の五角形の平面視における外径と、クラウンの平面部の直径がほぼ等しい請求項４記載のキュービックジルコニア。
【請求項６】
クラウンの平面部はパビリオン最底部の四角形の面数の２倍の多角形であり、ガードルとクラウンの平面部に対向した頂部がそれぞれ接している四角形の面の平面部側の頂部は多角形各辺の中央部において接している請求項５記載のキュービックジルコニア。
【発明の詳細な説明】
【０００１】
【発明の属する技術分野】
この発明はキュービックジルコニアのカッティング方法及びこのカッティング方法により形成された新規なキュービックジルコニアのデザインに関するものであり、キュービックジルコニアの性質を利用して加工前のキュービックジルコニアを特定の形状にカットすることにより、クラウン側から見た場合にパビリオン側に形成したカッティング形状がそこに浮き出るようにしたものである。
【０００２】
【従来の技術】
従来、キュービックジルコニアのカットはダイヤモンドと同様にラウンドブリリアントカットと称される５８面体カットを基本としており、クラウン側を主に光らせるためにクラウン側に多面体のカットを施し、パビリオン側には装飾的なカットは行っていなかった。
【０００３】
【発明が解決しようとする課題】
従来のこのような５８面体カットはそれなりに好評であり、またキュービックジルコニアをダイヤモンドと同様にそれらしくキラキラ輝かせるという意味ではある意味で適切なものであるといえる。一方一律に同じようなカットが施されているため新鮮味に乏しくいずれのキュービックジルコニアもダイヤモンドも含めて大きさの違いしかないのが現状である。
【０００４】
すなわち、キュービックジルコニアのカッティング方法に対して新鮮味を出すためには、従来利用していなかったパビリオン側にもカットを施し、これがクラウン側に模様として浮き出るようにすれば、今までのものとは確実に違うキュービックジルコニアデザインを提供できることになる。
【０００５】
しかし、単にパビリオン側にカットを施しても、それがクラウン側に模様として浮き出るほどキュービックジルコニアの特性は単純ではない。すなわちパビリオン側とクラウン側をカット形状や、パビリオン側のカット模様とクラウン側の平面部の大きさや、ガードル部の直径とデプスの割合等をある一定の範囲の関係にしないときれいな模様とならない。また、ダイヤモンドとはその特性や屈折率が異なるため、ダイヤモンドと同一にカットしても思ったようなものには仕上がらない。
【０００６】
【課題を解決するための手段】
そこで、この発明にかかるキュービックジルコニアはパビリオンの最底部には５個の同形状の四角形の面の一頂部が集まり相隣接する四角形の面は下側の一辺をそれぞれ共通とするとともに各四角形の面がガードル部を基準面とした場合この基準面に対しなす角度は３５．５度〜３６．５度であり、この各四角形の面の上側の一辺とその辺を共通とし一つおきに隣接する三角形の面とも一辺を共通とする１０個の各三角形の面がガードル部を基準面とした場合この基準面に対しなす角度は４０．５度〜４１．５度であり、またガードルとクラウンの平面部に対向する頂部がそれぞれ接し一つおきに隣接する四角形の面とも一辺を共通とする１０個の各四角形の面がガードル部を基準面とした場合この基準面に対しなす角度は２９．５度〜３０．５度であり、デプスはガードル部の直径の５５％〜６５％としたものである。
【０００７】
また、この発明にかかるキュービックジルコニアのカッティング方法は加工前のキュービックジルコニアをカットしてキュービックジルコニアを仕上げるに際し、先ずガードル部を真円に形成し、次にパビリオン側を１０等分し相隣接する扇形の面がそれぞれ両辺が共通するとともにその扇形の面がガードル部を基準面とした場合この基準面に対しなす角度が４０．５度〜４９．０度となりガードル部が各扇形の面の円弧部分となるようにカットし、ついで一つおきに稜線のほぼ中央と他の稜線がガードル部と接する点を結ぶ線が三角形の面の一辺となり他の二辺は相隣接する三角形の面とそれぞれの辺が共通するとともにそれぞれの三角形の面がガードル部を基準面とした場合この基準面に対しなす角度が４０．５度〜４１．５度となるようにカットして１０個の三角形の面を形成し、そして短辺側が共通する隣接する三角形の面のその辺を共通する部分を四角形の面にカットし最底部において５個の四角形の面の頂部が一点に集まるようにするとともに各四角形の面がガードル部を基準面とした場合この基準面に対しなす角度が３５．５度〜３６．５度となるように５個の四角形の面を形成し、次にクラウン側のパビリオン側と同じ位置で１０等分し相隣接する扇形の面がそれぞれ両辺が共通するとともにその扇形の面がガードル部を基準面とした場合この基準面に対しなす角度が３１．０度〜３７．０度となりガードル部が各扇形の面の円弧部分となるようにカットし、ついで一つおきに稜線のガードル部からほぼ１／４の位置と他の稜線がガードル部と接する点を結ぶ線が三角形の面の一辺となり他の二辺は相隣接する三角形の面とそれぞれの辺が共通するとともにそれぞれの三角形の面がガードル部を基準面とした場合この基準面に対しなす角度は２９．５度〜３０．５度となるようにカットして１０個の三角形の面を形成し、そして平面部となる部分をガードル部の直径の５５％〜６５％の位置でパビリオンの最底部の四角形の面で形成された星形の五角形の平面視における外径とクラウンの平面部の直径がほぼ等しくなるようにカットし、ついでこの平面部が十角形となるように隣接する三角形の面の辺の共通箇所に三角形の面を形成して平面部は十角形となるとともに１０個の三角形の面はそれぞれ四角形の面Ｃとなるようにカットしたものである。
【０００８】
【作用】
パビリオン側とクラウン側の表面をそれぞれこのような角度にカットし、パビリオン側最底部の平面視で星形となるようにしたカットの大きさとクラウン側の平面部の大きさを略同一とし、さらにガードル部の直径とデプスの割合をこのような範囲とすることにより、クラウン側の平面部から見た場合に、この平面部の十角形に丁度内接するようにパビリオン側最低部の五角形の星形がきれいに見えることになる。
【０００９】
これはキュービックジルコニアの屈折率を利用した結果であり、各面をこのような角度にカットしないとパビリオン側最底部のカット模様がクラウン側の平面部にきれいに浮き出ない。なお、クラウン側の平面部の大きさとデプスはクラウン側の平面部から見えるパビリオン側最低部のカット模様の大きさの範囲には影響するが、基本的な見え方、すなわちクラウン側からカット模様が見えるかどうかということには影響しないので、各面のなす角度ほどは精密なものでなくてもよい。
【００１０】
【発明の実施の態様】
次に、本発明のキュービックジルコニアのカッティング方法及びキュービックジルコニアの一実施例を図面に基づいて説明する。
先ず、通常のカッティングと同様に適当な大きさにカットした加工前のキュービックジルコニアをガードル部１が真円になるようにカットする。
【００１１】
次にパビリオン側を１０等分して１０個の扇形の面を形成する。すなわち相隣接する扇形の面がそれぞれ両辺が共通するとともにその扇形の面がガードル部１を基準面とした場合この基準面に対しなす角度が４０．５度〜４９．０度となりガードル部１が各扇形の面の円弧部分となるようにカットする。なお、この扇形の面はガードル部１に接する側の一部のみが残り他は次の行程でカットされてしまうので前記角度はそれほど厳密なものではない。
【００１２】
ついでガードル部１を基準面とした場合この基準面に対しなす角度が４０．５度〜４１．５度となるように１０個の三角形の面Ｂを形成する。すなわち一つおきに稜線のほぼ中央と他の稜線がガードル部１と接する点を結ぶ線が三角形の面Ｂの一辺となり他の二辺は相隣接する三角形の面Ｂとそれぞれの辺が共通するとともにそれぞれの三角形の面Ｂがガードル部１を基準面とした場合この基準面に対しなす角度が４０．５度〜４１．５度となるようにカットする。
【００１３】
そして次にガードル部１を基準面とした場合この基準面に対しなす角度が３５．５度〜３６．５度となるように５個の四角形の面Ａを形成する。すなわち短辺側が共通する隣接する三角形の面Ｂのその辺を共通する部分を四角形の面Ａにカットし最底部２において５個の四角形の面Ａの頂部が一点に集まるようにするとともに各四角形の面Ａがガードル部１を基準面とした場合この基準面に対しなす角度が３５．５度〜３６．５度となるようにカットする。
【００１４】
次にクラウン側をパビリオン側と同じ位置で１０等分して１０個の扇形の面を形成する。すなわち相隣接する扇形の面がそれぞれ両辺が共通するとともにその扇形の面がガードル部１を基準面とした場合この基準面に対しなす角度が３１．０度〜３７．０度となりガードル部１が各扇形の面の円弧部分となるようにカットする。なお、この扇形の面はガードル部１に接する側の一部のみが残り他は次の行程でカットされてしまうので前記角度はそれほど厳密なものではない。
【００１５】
ついでガードル部１を基準面とした場合この基準面に対しなす角度が２９．５度〜３０．５度となるように１０個の三角形の面を形成する。これは後に四角形の面Ｃとなる。すなわち一つおきに稜線のガードル部１からほぼ１／４の位置と他の稜線がガードル部１と接する点を結ぶ線が三角形の面の一辺となり他の二辺は相隣接する三角形の面とそれぞれの辺が共通するとともにそれぞれの三角形の面がガードル部１を基準面とした場合この基準面に対しなす角度が２９．５度〜３０．５度となるようにカットする。
【００１６】
そしてデプスがガードル部１の直径の５５％〜６５％となるように平面部３を形成する。すなわち平面部３となる部分をガードル部１の直径の５５％〜６５％の位置でパビリオンの最底部２の四角形の面Ａで形成された星形の五角形の平面視における外径とクラウンの平面部３の直径がほぼ等しくなるようにカットする。
【００１７】
ついでこの平面部３が十角形となるようにガードル部１と平面部３の間に１０個の四角形の面Ｃを形成する。すなわち隣接する三角形の面の辺の共通箇所に三角形の面を形成し、平面部３は十角形となるとともに１０個の三角形の面はそれぞれ四角形の面Ｃとなるようにカットする。
【００１８】
なお、ガードル部１を基準面とした場合この基準面に対しそれぞれの面がなす角度については次のようにする。四角形の面Ａの角度を３６．５度とした場合には三角形の面Ｂは４１．５度とし四角形の面Ｃは２９．５度する。一方四角形の面Ａの角度を３５．５度とした場合には三角形の面Ｂは４０．５度とし四角形の面Ｃは３０．５度する。
【００１９】
以上のようにして加工前のキュービックジルコニアをカットすると、本発明のキュービックジルコニアが形成される。このような形状にカットした結果、クラウン側の平面部３からパビリオン側を見ると、図１に点線で示すようにパビリオン側の四角形の面Ａが丁度星形に見える。なお、本発明のキュービックジルコニアは上記のような行程によりカットされたものに限らるものではなく、どのような行程によりカットしたものであっても結果として所定の要件を満たすキュービックジルコニアであれば本発明のキュービックジルコニアとして成立することはいうまでもないことである。
【００２０】
デプスはガードル部１の直径の５５％〜６５％となるようにするが、平面部３の大きさにもよるがデプスを大きくすると平面部３から星形がはみ出し気味となり、一方デプスを小さくすると平面部３に星形全部がきれいに入りきれない場合があるので、これらは適宜調整するのが望ましい。
【００２１】
なお、上記実施例は最底部２の四角形の面Ａを５個として星形を五角形として平面部３を十角形としたが、最底部２の角数はこの五角形に限定されるものではなく何角形でもよい。また、平面部３も何角形でもよい。但し、最底部２の四角形の面ＡをＮ個とした場合、三角形の面Ｂと四角形の面Ｃはそれぞれ２Ｎ個とし、またそれぞれの面の角度は規定の範囲にする必要はある。
【００２２】
【発明の効果】
以上述べたように、この発明にかかるキュービックジルコニアは、パビリオンの最底部には５個の同形状の四角形の面の一頂部が集まり相隣接する四角形の面は下側の一辺をそれぞれ共通とするとともに各四角形の面がガードル部を基準面とした場合この基準面に対しなす角度は３５．５度〜３６．５度であり、この各四角形の面の上側の一辺とその辺を共通とし一つおきに隣接する三角形の面とも一辺を共通とする１０個の各三角形の面がガードル部を基準面とした場合この基準面に対しなす角度は４０．５度〜４１．５度であり、またガードルとクラウンの平面部に対向する頂部がそれぞれ接し一つおきに隣接する四角形の面とも一辺を共通とする１０個の各四角形の面がガードル部を基準面とした場合この基準面に対しなす角度は２９．５度〜３０．５度であり、デプスはガードル部の直径の５５％〜６５％としたので、クラウン側の平面部から見た場合にパビリオン側最底部の星形の模様が丁度平面部の十角形の中に内接するように見え、従来のキュービックジルコニアのラウンドブリリアントカットとは全く違った趣をキュービックジルコニアに付加できる効果を有する。
【００２３】
また、この発明にかかるキュービックジルコニアのカッティング方法によれば、パビリオン側とクラウン側を順次所定の角度に各面をカットすることにより本発明のキュービックジルコニアを形成することができる。
【図面の簡単な説明】
【図１】本発明のキュービックジルコニアの平面図である。
【図２】図１のキュービックジルコニアの底面図である。
【図３】図１のキュービックジルコニアの左側面図である。
【図４】図１のキュービックジルコニアの右側面図である。
【図５】図１のキュービックジルコニアの正面図及び背面図である。
【符号の説明】
１  ガードル部
２  最底部
３  平面部
Ａ  パビリオン側最低部の四角形の面
Ｂ  パビリオン側最低部の四角形の面に接する三角形の面
Ｃ  クラウン側の平面部とガードル部に対向する２点が接する四角形の面
【図１】
2004194779.tif 000003
【図２】
2004194779.tif 000004
【図３】
2004194779.tif 000005
【図４】
2004194779.tif 000006
【図５】
2004194779.tif 000007
【手続補正書】
【提出日】平成15年6月19日(2003.6.19)
【手続補正１】
【補正対象書類名】明細書
【補正対象項目名】請求項２
【補正方法】変更
【補正の内容】
【請求項２】
パビリオンの最底部の四角形の面で形成された星形の五角形の平面視における外径と、クラウンの平面部の直径はほぼ等しく、クラウンの平面部は十角形であり、ガードルとクラウンの平面部に対向した頂部がそれぞれ接している四角形の面の平面部側の頂部は十角形各辺の頂点において接している請求項１記載のキュービックジルコニア。
【手続補正２】
【補正対象書類名】明細書
【補正対象項目名】請求項６
【補正方法】変更
【補正の内容】
【請求項６】
クラウンの平面部はパビリオン最底部の四角形の面数の２倍の多角形であり、ガードルとクラウンの平面部に対向した頂部がそれぞれ接している四角形の面の平面部側の頂部は多角形各辺の頂点において接している請求項５記載のキュービックジルコニア。